(57)【要約】【課題】風呂の追い焚き燃焼を単独で行っている場合であっても、潜熱回収用の熱交換器と接する給湯配管の水の沸騰を回避させることのできる給湯システムを提供することを目的とする。【解決手段】排気流路２１は、その内部に隔壁２２が設けられており、この隔壁２２によって、第１のバーナ３０による給湯燃焼に伴い発生し１次熱交換器５０を通過した排気ガスを、排気口２１ａから外部へ排気させる第１の排気流路２３と、第２のバーナ４０による風呂の追い焚き燃焼に伴い発生し１次熱交換器５０を通過した排気ガスを、排気口２１ａから外部へ排気させる第２の排気流路２４と、に形成される。風呂の追い焚き燃焼が行われると、第２のバーナ４０からの高温の排気ガスは、１次熱交換器５０を通過し、次に第２の排気流路２４を経由し排気口２１ａから外部へ排気される。【選択図】        図１
2007120867.tif 000002
【特許請求の範囲】
【請求項１】
給湯配管および追い焚き配管と、
給湯燃焼を行う第１の燃焼手段と、
風呂の追い焚き燃焼を行う第２の燃焼手段と、
前記給湯配管および前記追い焚き配管が設けられ、前記第１の燃焼手段による給湯燃焼と前記第２の燃焼手段による風呂の追い焚き燃焼とによって加熱される１次熱交換器と、
前記給湯配管が設けられ、かつ前記第１の燃焼手段に対し前記１次熱交換器の配設位置よりも離れた位置に配設されるとともに前記第１の燃焼手段に対応して配設され、前記第１の燃焼手段による給湯燃焼に係る潜熱を回収する２次熱交換器と、
前記第１の燃焼手段による給湯燃焼と前記第２の燃焼手段による風呂の追い焚き燃焼とに伴い発生する排気ガスを排気口から排気させる排気流路と、
前記排気流路内に設けられ、前記第２の燃焼手段による風呂の追い焚き燃焼のみが行われるときに、当該追い焚き燃焼に伴い発生し前記１次熱交換器を通過した排気ガスが前記２次熱交換器に向けて流通するのを阻止する阻止手段と、
を有することを特徴とする給湯システム。
【請求項２】
前記阻止手段は、
前記排気流路内に設けられ、当該排気流路を、前記第１の燃焼手段による給湯燃焼に伴い発生し前記１次熱交換器を通過した排気ガスを前記２次熱交換器を介して前記排気口から排気させる第１の排気流路と、前記第２の燃焼手段による風呂の追い焚き燃焼に伴い発生し前記１次熱交換器を通過した排気ガスを前記排気口から排気させる第２の排気流路とに区画する隔壁である
ことを特徴とする請求項１記載の給湯システム。
【請求項３】
前記給湯配管が設けられる前記２次熱交換器は、前記第１の排気流路内の所定の位置に配設されている
ことを特徴とする請求項２記載の給湯システム。
【請求項４】
給湯配管および追い焚き配管と、
給湯燃焼を行う第１の燃焼手段と、
風呂の追い焚き燃焼を行う第２の燃焼手段と、
前記給湯配管が設けられ、前記第１の燃焼手段による給湯燃焼によって加熱される給湯熱交換器と、
前記給湯配管が設けられ、かつ前記第１の燃焼手段に対し当該給湯熱交換器の配設位置よりも離れた位置に配設されるとともに前記第１の燃焼手段に対応して配設され、前記第１の燃焼手段による給湯燃焼に係る潜熱を回収する潜熱回収熱交換器と、
前記追い焚き配管が設けられ、前記第２の燃焼手段による風呂の追い焚き燃焼によって加熱される追い焚き熱交換器と、
前記第１の燃焼手段による給湯燃焼と前記第２の燃焼手段による風呂の追い焚き燃焼とに伴い発生する排気ガスを排気口から排気させる排気流路と、
前記排気流路内に設けられ、前記第２の燃焼手段による風呂の追い焚き燃焼のみが行われるときに、当該追い焚き燃焼に伴い発生し前記追い焚き熱交換器を通過した排気ガスが前記潜熱回収熱交換器に向けて流通するのを阻止する阻止手段と、
を有することを特徴とする給湯システム。
【請求項５】
前記阻止手段は、
前記排気流路内に設けられ、当該排気流路を、前記第１の燃焼手段による給湯燃焼に伴い発生し前記１次熱交換器を通過した排気ガスを前記２次熱交換器を介して前記排気口から排気させる第１の排気流路と、前記第２の燃焼手段による風呂の追い焚き燃焼に伴い発生し前記１次熱交換器を通過した排気ガスを前記排気口から排気させる第２の排気流路とに区画する隔壁である
ことを特徴とする請求項４記載の給湯システム。
【請求項６】
前記給湯配管が設けられる前記潜熱回収熱交換器は、前記第１の排気流路内の所定の位置に配設されている
ことを特徴とする請求項５記載の給湯システム。
【請求項７】
給湯配管および追い焚き配管と、
給湯燃焼を行う第１の燃焼手段と、
風呂の追い焚き燃焼を行う第２の燃焼手段と、
前記給湯配管および前記追い焚き配管が設けられ、前記第１の燃焼手段による給湯燃焼によって加熱されるとともに前記第２の燃焼手段による風呂の追い焚き燃焼によって加熱される１次熱交換器と、
前記給湯配管が設けられ、かつ前記第１の燃焼手段に対し前記１次熱交換器の配設位置よりも離れた位置に配設されるとともに前記第１の燃焼手段に対応して配設され、前記第１の燃焼手段による給湯燃焼に係る潜熱を回収する２次熱交換器と、
前記第１の燃焼手段による給湯燃焼と前記第２の燃焼手段による風呂の追い焚き燃焼とに伴い発生する排気ガスを排気口から排気する排気流路と、
前記第２の燃焼手段による風呂の追い焚き燃焼のみが行われるときに、前記排気流路内に希釈空気を供給することにより、当該追い焚き燃焼に伴い発生し前記１次熱交換器を通過した排気ガスの温度を、前記２次熱交換器に対応して設けられている前記給湯配管に滞留している水が沸騰しない温度まで低下させる排気温度調整手段と、
を有することを特徴とする給湯システム。
【請求項８】
給湯配管および追い焚き配管と、
給湯燃焼を行う第１の燃焼手段と、
風呂の追い焚き燃焼を行う第２の燃焼手段と、
前記給湯配管が設けられ、前記第１の燃焼手段による給湯燃焼によって加熱される給湯熱交換器と、
前記給湯配管が設けられ、かつ前記第１の燃焼手段に対し当該給湯熱交換器の配設位置よりも離れた位置に配設されるとともに前記第１の燃焼手段に対応して配設され、前記第１の燃焼手段による給湯燃焼に係る潜熱を回収する潜熱回収熱交換器と、
前記追い焚き配管が設けられ、前記第２の燃焼手段による風呂の追い焚き燃焼によって加熱される追い焚き熱交換器と、
前記第１の燃焼手段による給湯燃焼と前記第２の燃焼手段による風呂の追い焚き燃焼とに伴い発生する排気ガスを排気口から排気する排気流路と、
前記第２の燃焼手段による風呂の追い焚き燃焼のみが行われるときに、前記排気流路内に希釈空気を供給することにより、当該追い焚き燃焼に伴い発生し前記追い焚き熱交換器を通過した排気ガスの温度を、前記潜熱回収熱交換器に対応して設けられている前記給湯配管に滞留している水が沸騰しない温度まで低下させる排気温度調整手段と、
を有することを特徴とする給湯システム。
【請求項９】
前記排気温度調整手段は、
前記第１の燃焼手段および前記第２の燃焼手段に向けて燃焼用空気を供給する燃焼ファンと、
前記第２の燃焼手段による風呂の追い焚き燃焼のみが行われるときに、前記燃焼ファンを作動させる制御を行う制御手段と、
を備え、
前記排気温度調整手段は、
前記制御手段の制御に従って前記燃焼ファンが作動することにより、前記第１の燃焼手段に対し供給される燃焼用空気を希釈空気として、前記排気流路に向けて供給する
ことを特徴とする請求項７または８記載の給湯システム。
【請求項１０】
前記第１の燃焼手段および前記第２の燃焼手段に供給される燃焼用空気の一部を、前記排気流路内へ案内する案内通路を備え、
前記排気温度調整手段は、
前記制御手段の制御に従って前記燃焼ファンが作動することにより、前記燃焼用空気の一部を希釈空気として、前記案内通路を介して前記排気流路内へ供給する
ことを特徴とする請求項９記載の給湯システム。
【発明の詳細な説明】
【技術分野】
【０００１】
本発明は、給湯燃焼と追い焚き燃焼とを行うとともに給湯燃焼に係る潜熱を回収し再利用する給湯システムに関するものである。
【背景技術】
【０００２】
近年、給湯システムとして、熱効率の向上の観点から、一缶二水構造を有するとともに潜熱回収用熱交換器を備えた給湯システム、すなわち潜熱回収用熱交換器を備えた一缶二水路型の給湯システムが普及しつつある。
【０００３】
図８は、このような一缶二水路給湯システムの概略構成を示す模式図を示している。
【０００４】
図８に示すように、一缶二水路給湯システムは、給湯配管４および追い焚き配管５と、ガス管１ａを経由して燃料（燃焼）ガスが供給され、給湯燃焼と風呂の追い焚き燃焼とを行う燃焼手段としてのバーナ１と、バーナ１の燃焼によって加熱され、給湯用熱交換器と追い焚き用熱交換器とが一体化された１次熱交換器２と、バーナ１に対し１次熱交換器２の配設位置よりも離れた位置に配設される潜熱回収用の２次熱交換器３と、を備えている。また、この一缶二水路給湯システムは、バーナ１の下方側に配置され、当該バーナ１に燃焼用空気を供給する図示しない燃焼ファンを備えている。
【０００５】
１次熱交換器２は複数のフィン２ａを有し、一方、２次熱交換器３は複数のフィン３ａを有している。なお、２次熱交換器３においては、複数のフィン３ａは無くてもよい。
【０００６】
１次熱交換器２は給湯配管４および追い焚き配管５に配設されているとともに、２次熱交換器３は給湯配管４に配設されている。すなわち、給湯配管４には１次熱交換器２のフィン２ａおよび２次熱交換器３のフィン３ａが密着して設けられており、追い焚き配管５には１次熱交換器２のフィン２ａが密着して設けられている。
【０００７】
給湯配管４は、入口側配管４ａに給水された水が、２次熱交換器３を経由し、次に１次熱交換器２を経由して出口側配管４ｂから流出されるように配設されている。
【０００８】
入口側配管４ａと出口側配管４ｂとの間にはバイパス通路６が設けられている。また、出口側配管４ｂには給湯栓（給水栓）７が設けられている。
【０００９】
追い焚き配管５は、浴槽８の側壁に開口して延びる戻り管５ａおよび往き管５ｂから構成されている。戻り管５ａには循環ポンプ９が設置されている。
【００１０】
また、追い焚き配管５は、浴槽８内の浴槽水（揚水）が、循環ポンプ９が回転駆動することで戻り管５ａから取り込まれて１次熱交換器２を経由し、その後、行き管５ｂから再び浴槽８へ戻る、ように構成されている。すなわち、浴槽８、戻り管５ａおよび行き管５ｂで、浴槽８内の浴槽水（揚水）を循環させるための循環路が形成される。
【００１１】
戻り管５ａには、浴槽８の循環浴槽水（循環揚水）の温度を風呂温度（浴槽８内の湯の温度）として検出するサーミスタ等の風呂温度センサ１０が設けられている。
【００１２】
戻り管５ａにおける循環ポンプ９の下流側と給湯配管４の出口側配管４ｂとの間には、注湯管１１が設けられている。注湯管１１には図示しない制御手段により弁が開閉制御される注湯弁１２が設けられている。
【００１３】
ここで、上述した構成の一缶二水路給湯システムにおいて、給湯運転、湯張り運転（自動湯張り運転）およびふろ単独運転（追い焚き運転）を行う場合の動作について説明する。
【００１４】
最初に、給湯運転を行う場合の動作について説明する。
【００１５】
注湯弁１２が閉じた状態で、給湯栓７が開けられると、給湯配管４の入口側配管４ａからの給水が、最初に２次熱交換器３を経由し、次に１次熱交換器２を経由して、給湯配管４の出口側配管４ｂから流出する。
【００１６】
このとき、２次熱交換器３（のフィン３ａ）と密着している給湯配管４の内部を通る水は、バーナ１の燃焼（給湯燃焼）による排気ガスが２次熱交換器３を通るときに、この排気ガス中の水蒸気が保有している潜熱を２次熱交換器３（のフィン３ａ）が奪い取る（回収する）ことにより、このフィン３ａと密着している給湯配管４を介して温度が高められる（予備加熱される）。
【００１７】
さらに、潜熱回収を行っている２次熱交換器３によって予備加熱された水が１次熱交換器２（のフィン２ａ）と密着している給湯配管４の内部を通るときに、予備加熱された水は、バーナ１の燃焼火力でもって１次熱交換器２（のフィン２ａ）およびこのフィン２ａと密着している給湯配管４を介して加熱（再加熱）されて、設定温度の湯として給湯配管４の出口側配管４ｂから流出する。
【００１８】
次に、湯張り運転を行う場合の動作について説明する。
【００１９】
図示しない制御手段による湯張り運転すべき旨の指令を基に、注湯弁１２が閉から開の状態に変化される。そして、上記給湯運転の場合と同様に、バーナ１の燃焼が開始されると、給湯配管４の入口側配管４ａからの給水が２次熱交換器３において予備加熱され、さらに１次熱交換器２において再加熱される。
【００２０】
このようにして１次熱交換器２において加熱された湯は、注湯管１１、戻り管５ａおよび行き管５ｂを経由して浴槽８に供給される。浴槽８内に所定の量の湯が供給されると、注湯弁１２は開から閉の状態に変化されるとともに、バーナ１の燃焼が停止される。
【００２１】
続いて、ふろ単独運転つまり追い焚き単独運転（追い焚き燃焼）を行う場合の動作について説明する。
【００２２】
例えばリモコンや操作パネルなどによる追い焚きすべき旨の指示があると、図示しない制御手段によって注湯弁１２が閉じた状態で循環ポンプ９が回転駆動され、浴槽８内の浴槽水が戻り管５ａおよび行き管５ｂを通って循環する。
【００２３】
このようにして浴槽８内の浴槽水の循環が追い焚き配管５を介して行われた場合は、風呂温度センサ１０によって浴槽８の風呂温度が検出され、風呂検出温度が風呂設定温度よりも低い旨が検出されたときは、バーナ１の燃焼（追い焚き燃焼）が行われる。
【００２４】
これにより、追い炊き配管５を通して循環する浴槽水は、バーナ１の燃焼（追い焚き燃焼）により加熱された１次熱交換器２のフィン２ａと密着している追い焚き配管５を介して加熱される。
【００２５】
そして、風呂温度センサ１０によって浴槽水の温度が風呂設定温度に達したことが検出されたときは、循環ポンプ９が停止されるとともに、バーナ１の燃焼が停止される。
【００２６】
なお、上述した一缶二水路給湯システムは、例えば、一缶二水路給湯器（例えば特許文献１参照）と、潜熱回収用熱交換器を備えた給湯器（例えば特許文献２参照）とを組み合わせることにより実現可能である。
【特許文献１】実公平８−７３０７号公報
【特許文献２】特開平８−１３６０５８号公報
【発明の開示】
【発明が解決しようとする課題】
【００２７】
しかしながら、上記従来の一缶二水路給湯システムでは、追い焚き単独運転（ふろ単独での運転）のときは、追い炊き配管５を通して循環する浴槽水を加熱するために、バーナ１によって燃焼（追い焚き燃焼）を行った場合は、１次熱交換器２が加熱されるのは勿論のこと、バーナ１の燃焼により発生する排気ガスが潜熱回収用の２次熱交換器３を通るときに、この排気ガス中の水蒸気が保有している潜熱を２次熱交換器３が奪い取る（回収する）ことにより、２次熱交換器３が加熱される。
【００２８】
そのため、排気ガスが有する潜熱を回収している２次熱交換器３（のフィン３ａ）と密着している給湯配管４の内部に滞留している水の温度が上昇することになり、追い焚き単独運転（つまり追い焚き燃焼）が継続して行われた場合は、その給湯配管４内に滞留している水が沸騰する可能性がある。
【００２９】
しかも、例えば追い焚き単独運転中において、給湯配管４に設けられている給湯栓７が開けられて給湯が行われると、２次熱交換器３と密着している給湯配管４内の沸騰した湯が１次熱交換器２を経由して給湯されることになり、望ましくない。
【００３０】
そこで、本発明は、風呂の追い焚き燃焼を単独で行っている場合であっても、潜熱回収用の熱交換器と接する給湯配管の水の沸騰を回避させることのできる給湯システムを提供することを目的とする。
【課題を解決するための手段】
【００３１】
上記課題を解決するため、請求項１に記載の本発明の給湯システムは、給湯配管および追い焚き配管と、給湯燃焼を行う第１の燃焼手段と、風呂の追い焚き燃焼を行う第２の燃焼手段と、前記給湯配管および前記追い焚き配管が設けられ、前記第１の燃焼手段による給湯燃焼と前記第２の燃焼手段による風呂の追い焚き燃焼とによって加熱される１次熱交換器と、前記給湯配管が設けられ、かつ前記第１の燃焼手段に対し前記１次熱交換器の配設位置よりも離れた位置に配設されるとともに前記第１の燃焼手段に対応して配設され、前記第１の燃焼手段による給湯燃焼に係る潜熱を回収する２次熱交換器と、前記第１の燃焼手段による給湯燃焼と前記第２の燃焼手段による風呂の追い焚き燃焼とに伴い発生する排気ガスを排気口から排気させる排気流路と、前記排気流路内に設けられ、前記第２の燃焼手段による風呂の追い焚き燃焼のみが行われるときに、当該追い焚き燃焼に伴い発生し前記１次熱交換器を通過した排気ガスが前記２次熱交換器に向けて流通するのを阻止する阻止手段と、を有することを特徴とする。
【００３２】
このように、阻止手段が、第２の燃焼手段による風呂の追い焚き燃焼のみが行われるときに、当該追い焚き燃焼に伴い発生し１次熱交換器を通過した排気ガスが２次熱交換器に向けて流通するのを阻止するようにしているので、潜熱回収を行う２次熱交換器が風呂の追い焚き燃焼に係る熱（潜熱）の影響を受けることがないので、いわゆる一缶二水路型の給湯システムにおいて、風呂の追い焚き燃焼を単独で行っている場合であっても、潜熱回収用の熱交換器と接する給湯配管の水の沸騰を回避させることができる。
【００３３】
請求項２に記載の本発明は、請求項１に記載の発明の構成に加えて、前記阻止手段は、前記排気流路内に設けられ、当該排気流路を、前記第１の燃焼手段による給湯燃焼に伴い発生し前記１次熱交換器を通過した排気ガスを前記２次熱交換器を介して前記排気口から排気させる第１の排気流路と、前記第２の燃焼手段による風呂の追い焚き燃焼に伴い発生し前記１次熱交換器を通過した排気ガスを前記排気口から排気させる第２の排気流路とに区画する隔壁であることを特徴とする。
【００３４】
このように、排気流路内部は、阻止手段としての隔壁によって、１次熱交換器を通過した給湯燃焼に係る排気ガスを２次熱交換器を介して排気口から排気させる第１の排気流路と、１次熱交換器を通過した風呂の追い焚き燃焼に係る排気ガスを排気口から排気させる第２の排気流路とに形成されるようになっているので、風呂の追い焚き燃焼のみが行われたときは、当該追い焚き燃焼に係る高温の排気ガスを、第１の排気流路に流通（流入）させることなく、第２の排気流路を経由して排気口から排気させることができ、風呂の追い焚き燃焼を単独で行っている場合であっても、潜熱回収用の熱交換器と接する給湯配管の水の沸騰を回避させることができる。
【００３５】
請求項３に記載の本発明は、請求項２に記載の発明の構成に加えて、前記給湯配管が設けられる前記２次熱交換器は、前記第１の排気流路内の所定の位置に配設されていることを特徴とする。
【００３６】
このように、２次熱交換器は、第１の排気流路内の所定の位置に配設されるようになっているので、風呂の追い焚き燃焼のみが行われたときは、当該追い焚き燃焼に係る高温の排気ガスを、第１の排気流路内に配設されている２次熱交換器に流通（流入）させることなく、第２の排気流路を経由して排気口から排気させることができ、風呂の追い焚き燃焼を単独で行っている場合であっても、潜熱回収用の熱交換器と接する給湯配管の水の沸騰を回避させることができる。
【００３７】
上記課題を解決するため、請求項４に記載の本発明の給湯システムは、給湯配管および追い焚き配管と、給湯燃焼を行う第１の燃焼手段と、風呂の追い焚き燃焼を行う第２の燃焼手段と、前記給湯配管が設けられ、前記第１の燃焼手段による給湯燃焼によって加熱される給湯熱交換器と、前記給湯配管が設けられ、かつ前記第１の燃焼手段に対し当該給湯熱交換器の配設位置よりも離れた位置に配設されるとともに前記第１の燃焼手段に対応して配設され、前記第１の燃焼手段による給湯燃焼に係る潜熱を回収する潜熱回収熱交換器と、前記追い焚き配管が設けられ、前記第２の燃焼手段による風呂の追い焚き燃焼によって加熱される追い焚き熱交換器と、前記第１の燃焼手段による給湯燃焼と前記第２の燃焼手段による風呂の追い焚き燃焼とに伴い発生する排気ガスを排気口から排気させる排気流路と、前記排気流路内に設けられ、前記第２の燃焼手段による風呂の追い焚き燃焼のみが行われるときに、当該追い焚き燃焼に伴い発生し前記追い焚き熱交換器を通過した排気ガスが前記潜熱回収熱交換器に向けて流通するのを阻止する阻止手段と、を有することを特徴とする。
【００３８】
このように、阻止手段が、第２の燃焼手段による風呂の追い焚き燃焼のみが行われるときに、当該追い焚き燃焼に伴い発生し追い焚き熱交換器を通過した排気ガスが潜熱回収熱交換器に向けて流通するのを阻止するようにしているので、潜熱回収を行う潜熱回収熱交換器が風呂の追い焚き燃焼に係る熱（潜熱）の影響を受けることがないので、いわゆる二缶二水路型の給湯システムにおいて、風呂の追い焚き燃焼を単独で行っている場合であっても、潜熱回収用の熱交換器と接する給湯配管の水の沸騰を回避させることができる。
【００３９】
請求項５に記載の本発明は、請求項４に記載の発明の構成に加えて、前記阻止手段は、前記排気流路内に設けられ、当該排気流路を、前記第１の燃焼手段による給湯燃焼に伴い発生し前記１次熱交換器を通過した排気ガスを前記２次熱交換器を介して前記排気口から排気させる第１の排気流路と、前記第２の燃焼手段による風呂の追い焚き燃焼に伴い発生し前記１次熱交換器を通過した排気ガスを前記排気口から排気させる第２の排気流路とに区画する隔壁であることを特徴とする。
【００４０】
このように、排気流路内部は、阻止手段としての隔壁によって、給湯熱交換器を通過した給湯燃焼に係る排気ガスを潜熱回収熱交換器を介して排気口から排気させる第１の排気流路と、追い焚き熱交換器を通過した風呂の追い焚き燃焼に係る排気ガスを排気口から排気させる第２の排気流路とに形成されるようになっているので、風呂の追い焚き燃焼のみが行われたときは、当該追い焚き燃焼に係る高温の排気ガスを、第１の排気流路に流通（進入）させることなく、第２の排気流路を経由して排気口から排気させることができ、風呂の追い焚き燃焼を単独で行っている場合であっても、潜熱回収用の熱交換器と接する給湯配管の水の沸騰を回避させることができる。
【００４１】
請求項６に記載の本発明は、請求項５に記載の発明の構成に加えて、前記給湯配管が設けられる前記潜熱回収熱交換器は、前記第１の排気流路内の所定の位置に配設されていることを特徴とする。
【００４２】
このように、潜熱回収熱交換器は、第１の排気流路内の所定の位置に配設されるようになっているので、風呂の追い焚き燃焼のみが行われたときは、当該追い焚き燃焼に係る高温の排気ガスを、第１の排気流路内に配設されている潜熱回収熱交換器に流通（進入）させることなく、第２の排気流路を経由して排気口から排気させることができ、風呂の追い焚き燃焼を単独で行っている場合であっても、潜熱回収用の熱交換器と接する給湯配管の水の沸騰を回避させることができる。
【００４３】
上記課題を解決するため、請求項７に記載の本発明の給湯システムは、給湯配管および追い焚き配管と、給湯燃焼を行う第１の燃焼手段と、風呂の追い焚き燃焼を行う第２の燃焼手段と、前記給湯配管および前記追い焚き配管が設けられ、前記第１の燃焼手段による給湯燃焼によって加熱されるとともに前記第２の燃焼手段による風呂の追い焚き燃焼によって加熱される１次熱交換器と、前記給湯配管が設けられ、かつ前記第１の燃焼手段に対し前記１次熱交換器の配設位置よりも離れた位置に配設されるとともに前記第１の燃焼手段に対応して配設され、前記第１の燃焼手段による給湯燃焼に係る潜熱を回収する２次熱交換器と、前記第１の燃焼手段による給湯燃焼と前記第２の燃焼手段による風呂の追い焚き燃焼とに伴い発生する排気ガスを排気口から排気する排気流路と、前記第２の燃焼手段による風呂の追い焚き燃焼のみが行われるときに、前記排気流路内に希釈空気を供給することにより、当該追い焚き燃焼に伴い発生し前記１次熱交換器を通過した排気ガスの温度を、前記２次熱交換器に対応して設けられている前記給湯配管に滞留している水が沸騰しない温度まで低下させる排気温度調整手段と、を有することを特徴とする。
【００４４】
このように、排気温度調整手段が、第２の燃焼手段による風呂の追い焚き燃焼のみが行われるときに、排気流路内に希釈空気を供給することにより、当該追い焚き燃焼に伴い発生し１次熱交換器を通過した排気ガスの温度を、２次熱交換器に対応して設けられている給湯配管に滞留している水が沸騰しない温度まで低下させるようにしているので、いわゆる一缶二水路型の給湯システムにおいて、風呂の追い焚き燃焼を単独で行っている場合であっても、潜熱回収用の熱交換器と接する給湯配管の水の沸騰を回避させることができる。
【００４５】
上記課題を解決するため、請求項８に記載の本発明の給湯システムは、給湯配管および追い焚き配管と、給湯燃焼を行う第１の燃焼手段と、風呂の追い焚き燃焼を行う第２の燃焼手段と、前記給湯配管が設けられ、前記第１の燃焼手段による給湯燃焼によって加熱される給湯熱交換器と、前記給湯配管が設けられ、かつ前記第１の燃焼手段に対し当該給湯熱交換器の配設位置よりも離れた位置に配設されるとともに前記第１の燃焼手段に対応して配設され、前記第１の燃焼手段による給湯燃焼に係る潜熱を回収する潜熱回収熱交換器と、前記追い焚き配管が設けられ、前記第２の燃焼手段による風呂の追い焚き燃焼によって加熱される追い焚き熱交換器と、前記第１の燃焼手段による給湯燃焼と前記第２の燃焼手段による風呂の追い焚き燃焼とに伴い発生する排気ガスを排気口から排気する排気流路と、前記第２の燃焼手段による風呂の追い焚き燃焼のみが行われるときに、前記排気流路内に希釈空気を供給することにより、当該追い焚き燃焼に伴い発生し前記追い焚き熱交換器を通過した排気ガスの温度を、前記潜熱回収熱交換器に対応して設けられている前記給湯配管に滞留している水が沸騰しない温度まで低下させる排気温度調整手段と、を有することを特徴とする。
【００４６】
このように、排気温度調整手段が、第２の燃焼手段による風呂の追い焚き燃焼のみが行われるときに、排気流路内に希釈空気を供給することにより、当該追い焚き燃焼に伴い発生し追い焚き熱交換器を通過した排気ガスの温度を、潜熱回収熱交換器に対応して設けられている給湯配管に滞留している水が沸騰しない温度まで低下させるようにしているので、いわゆる二缶二水路型の給湯システムにおいて、風呂の追い焚き燃焼を単独で行っている場合であっても、潜熱回収用の熱交換器と接する給湯配管の水の沸騰を回避させることができる。
【００４７】
請求項９に記載の本発明は、請求項７または８に記載の発明の構成に加えて、前記排気温度調整手段は、前記第１の燃焼手段および前記第２の燃焼手段に向けて燃焼用空気を供給する燃焼ファンと、前記第２の燃焼手段による風呂の追い焚き燃焼のみが行われるときに、前記燃焼ファンを作動させる制御を行う制御手段と、を備え、前記排気温度調整手段は、前記制御手段の制御に従って前記燃焼ファンが作動することにより、前記第１の燃焼手段に対し供給される燃焼用空気を希釈空気として、前記排気流路に向けて供給することを特徴とする。
【００４８】
このように、風呂の追い焚き燃焼のみが行われるときは、排気温度調整手段では、制御手段の制御に従って燃焼ファンが作動することにより、第１の燃焼手段に対し供給される燃焼用空気を希釈空気として、排気流路に向けて供給するようにしているので、風呂の追い焚き燃焼に係る高温の排気ガスを希釈空気としての燃焼用空気により希釈することにより、当該排気ガスの温度を低下させることができ、風呂の追い焚き燃焼を単独で行っている場合であっても、潜熱回収用の熱交換器と接する給湯配管の水の沸騰を回避させることができる。
【００４９】
請求項１０に記載の本発明は、請求項９に記載の発明の構成に加えて、前記第１の燃焼手段および前記第２の燃焼手段に供給される燃焼用空気の一部を、前記排気流路内へ案内する案内通路を備え、前記排気温度調整手段は、前記制御手段の制御に従って前記燃焼ファンが作動することにより、前記燃焼用空気の一部を希釈空気として、前記案内通路を介して前記排気流路内へ供給することを特徴とする。
【００５０】
このように、排気温度調整手段が、制御手段の制御に従って燃焼ファンが作動することにより、第１の燃焼手段に対し供給される燃焼用空気を希釈空気として、排気流路に向けて供給するとともに、第１の燃焼手段および第２の燃焼手段に対し供給される燃焼用空気の一部を希釈空気として、案内通路を介して排気流路内へ供給するようにしているので、風呂の追い焚き燃焼に係る高温の排気ガスを前記希釈空気としての燃焼用空気により希釈することにより、当該排気ガスの温度を低下させることができ、風呂の追い焚き燃焼を単独で行っている場合であっても、潜熱回収用の熱交換器と接する給湯配管の水の沸騰を回避させることができる。
【発明の効果】
【００５１】
本発明によれば、阻止手段が、第２の燃焼手段による風呂の追い焚き燃焼のみが行われるときに、当該追い焚き燃焼に伴い発生し１次熱交換器を通過した排気ガスが２次熱交換器に向けて流通するのを阻止するようにしているので、潜熱回収を行う２次熱交換器が風呂の追い焚き燃焼に係る熱（潜熱）の影響を受けることがないので、風呂の追い焚き燃焼を単独で行っている場合であっても、潜熱回収用の熱交換器と接する給湯配管の水の沸騰を回避させることができるという有効な効果を奏する。
【００５２】
また、本発明によれば、阻止手段が、第２の燃焼手段による風呂の追い焚き燃焼のみが行われるときに、当該追い焚き燃焼に伴い発生し追い焚き熱交換器を通過した排気ガスが潜熱回収熱交換器に向けて流通するのを阻止するようにしているので、潜熱回収を行う潜熱回収熱交換器が風呂の追い焚き燃焼に係る熱（潜熱）の影響を受けることがないので、風呂の追い焚き燃焼を単独で行っている場合であっても、潜熱回収用の熱交換器と接する給湯配管の水の沸騰を回避させることができるという有効な効果を奏する。
【００５３】
また、本発明によれば、排気温度調整手段が、第２の燃焼手段による風呂の追い焚き燃焼のみが行われるときに、排気流路内に希釈空気を供給することにより、当該追い焚き燃焼に伴い発生し１次熱交換器を通過した排気ガスの温度を、２次熱交換器に対応して設けられている給湯配管に滞留している水が沸騰しない温度まで低下させるようにしているので、風呂の追い焚き燃焼を単独で行っている場合であっても、潜熱回収用の熱交換器と接する給湯配管の水の沸騰を回避させることができるという有効な効果を奏する。
【００５４】
さらに、本発明によれば、排気温度調整手段が、第２の燃焼手段による風呂の追い焚き燃焼のみが行われるときに、排気流路内に希釈空気を供給することにより、当該追い焚き燃焼に伴い発生し追い焚き熱交換器を通過した排気ガスの温度を、潜熱回収熱交換器に対応して設けられている給湯配管に滞留している水が沸騰しない温度まで低下させるようにしているので、風呂の追い焚き燃焼を単独で行っている場合であっても、潜熱回収用の熱交換器と接する給湯配管の水の沸騰を回避させることができるという有効な効果を奏する。
【発明を実施するための最良の形態】
【００５５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００５６】
（実施の形態１）
【００５７】
図１は本発明の実施の形態１である給湯システムの概略構成を示す模式図、図２は図１に示した給湯システムにおけるふろ単独運転時の排気の流れを説明する図である。
【００５８】
図１において、燃焼室２０には、給湯燃焼を行う第１の燃焼手段としての第１のバーナ３０と、風呂の追い焚き燃焼を行う第２の燃焼手段としての第２のバーナ４０と、１次熱交換器５０と、２次熱交換器６０とが設けられている。第１のバーナ３０と第２のバーナ４０とは一体化されており、しかも第１のバーナ３０と第２のバーナ４０との間に仕切り板などの仕切り手段３５が設けられている。
【００５９】
第１のバーナ３０には給湯用のガス配管３１が接続され、ガス配管３１にはガス開閉弁３２が設けられている。第２のバーナ４０には追い焚き用のガス配管４１が接続され、ガス配管４１にはガス開閉弁４２が設けられている。
【００６０】
第１のバーナ３０および第２のバーナ４０の下方側には、これらのバーナに燃焼用空気を供給する燃焼ファン７０が配置されている。
【００６１】
１次熱交換器５０は、給湯配管８０および追い焚き配管９０が設けられ、第１のバーナ３０による給湯燃焼と第２のバーナ４０による風呂の追い焚き燃焼とによって加熱される。また、１次熱交換器５０は複数のフィン５０ａを有している。
【００６２】
２次熱交換器６０は、給湯配管８０が設けられ、かつ第１のバーナ３０に対し１次熱交換器５０の配設位置よりも離れた位置に配設されるとともに第１のバーナ３０に対応して配設され、第１のバーナ３０による給湯燃焼に係る潜熱つまり１次熱交換器５０を通過した排気ガスの潜熱を回収するように配設されている。また、２次熱交換器６０は複数のフィン６０ａを有している。なお、２次熱交換器６０においては、複数のフィン６０ａは無くてもよい。
【００６３】
給湯配管８０は、１次熱交換器５０の複数のフィン５０ａおよび２次熱交換器６０の複数のフィン６０ａに密着して設けられている。
【００６４】
追い焚き配管９０は１次熱交換器５０の複数のフィン５０ａに密着して設けられている。
【００６５】
燃焼室２０において、２次熱交換器６０よりも上部側に、第１のバーナ３０による給湯燃焼と第２のバーナ４０による風呂の追い焚き燃焼とに伴い発生し、図示しない制御手段の制御に従って燃焼ファン７０が作動することにより強制的に流通される排気ガスを、排気口２１ａから外部へ排気させる排気流路２１が設けられている。
【００６６】
排気流路２１は、その内部に隔壁２２が設けられており、この隔壁２２によって、排気流路２１は、第１のバーナ３０による給湯燃焼に伴い発生し１次熱交換器５０を通過した排気ガスを、排気口２１ａから外部へ排気させる第１の排気流路２３と、第２のバーナ４０による風呂の追い焚き燃焼に伴い発生し１次熱交換器５０を通過した排気ガスを、排気口２１ａから外部へ排気させる第２の排気流路２４とに区画される。
【００６７】
第１の排気流路２３は、隔壁２２と排気流路２１の一方の側壁とで形成され、一方、第２の排気流路２４は、隔壁２２と排気流路２１の他方の側壁とで形成される。
【００６８】
すなわち、隔壁２２は、第２のバーナ４０による風呂の追い焚き燃焼のみが行われるときに、当該追い焚き燃焼に伴い発生し１次熱交換器５０を通過した排気ガスが２次熱交換器６０に向けて流通するのを阻止する阻止手段として機能する。
【００６９】
本実施の形態１では、給湯配管８０が設けられる２次熱交換器６０は、隔壁２２と排気流路２１の一方の側壁とで形成される第１の排気流路２３内の所定の位置に配設されるようになっている。
【００７０】
給湯配管８０は、上述した給湯配管４の場合と同様に、入口側配管８０ａおよび出口側配管８０ｂを有している。一方、追い焚き配管９０は、上述した追い焚き配管５の場合と同様に、戻り管９０ａおよび往き管９０ｂを有している。
【００７１】
バイパス通路８１、給湯栓（給水栓）８２、注湯管８３、注湯弁８４、浴槽９１、循環ポンプ９２および風呂温度センサ９３は、それぞれバイパス通路６、給湯栓（給水栓）７、注湯管１１、注湯弁１２、浴槽８、循環ポンプ９および風呂温度センサ１０と同様の構成および機能を有している。
【００７２】
図１に示した給湯システムは、上述した図８の従来の一缶二水路給湯システムの場合と同様に、例えば給湯運転、湯張り運転（自動湯張り運転）およびふろ単独運転（追い焚き運転）を行うことができる。ここでは、それらの運転の動作の説明については省略する。
【００７３】
次に、上述した構成の給湯システムにおける給湯運転、湯張り運転およびふろ単独運転の場合の排気ガスの流れについて説明する。
【００７４】
給湯運転あるいは湯張り運転のときは、ガス開閉弁４２およびガス開閉弁３２は開状態となり、制御手段（図示せず）の制御に従って燃焼ファン７０が作動（回転駆動）し、第１のバーナ３０にガス配管３１を介して燃料ガスが供給されることにより、第１のバーナ３０による給湯燃焼が行われる。
【００７５】
このようにして給湯燃焼が行われると、第１のバーナ３０からの高温の排気ガスは、１次熱交換器５０を経由して２次熱交換器６０に到達し、さらに、２次熱交換器６０によって当該排気ガス中の水蒸気が保有している潜熱が回収されることで、当該排気ガスの温度が低下する。そして、低温（例えば５０℃〜８０℃）となった排気ガスは、第１の排気流路２３を経由し排気口２１ａから外部へ排気される。
【００７６】
これに対し、ふろ単独運転のときは、ガス開閉弁３２は閉状態であり、ガス開閉弁４２は開状態となり、制御手段（図示せず）の制御に従って燃焼ファン７０が作動（回転駆動）し、さらに第２のバーナ４０にガス配管４１を介して燃料ガスが供給されることにより、第２のバーナ４０による風呂の追い焚き燃焼が行われる。なお、第２のバーナ４０による追い焚き燃焼が行われたとしても、仕切り手段３５によって、この追い焚き燃焼による熱は、１次熱交換器５０を介して２次熱交換器６０へ到達するのを抑制（阻止）される。
【００７７】
このようにして風呂の追い焚き燃焼が行われると、第２のバーナ４０からの高温の排気ガスは、１次熱交換器５０を通過し、次に、図１および図２に示すように符号２４ａで示す矢印の方向に流通、つまり第２の排気流路２４を経由し排気口２１ａから外部へ排気される。
【００７８】
このとき、第２のバーナ４０の風呂の追い焚き燃焼に伴う高温の排気ガスは、隔壁２２によって第１の排気流路２３への流入を阻止されるので、この第１の排気流路２３内に配設されている２次熱交換器６０に対して影響を与えることはない。
【００７９】
すなわち、２次熱交換器６０は、風呂の追い焚き燃焼に係る熱（潜熱）に基づく入熱が遮断されることになる。その結果、２次熱交換器６０に対応して配設されている給湯配管８０の内部の水（湯）が沸騰することはない。
【００８０】
なお、本実施の形態１では、１次熱交換器５０は、いわゆる一缶二水路の変形例の構成としたが、本発明はこれに限定されることなく、次のようにしてもよい。
【００８１】
すなわち、１次熱交換器５０は、図８の従来の一缶二水路給湯システムの場合と同様の一缶二水路の構成とする。ただし、２次熱交換器６０は、図１に示したように第１のバーナ３０による給湯燃焼に係る潜熱を回収するように配設する。
【００８２】
この場合も、風呂の追い焚き燃焼のみが行われたときは、第２のバーナ４０からの高温の排気（排気ガス）は、１次熱交換器５０を通過し、次に第２の排気流路２４を経由し排気口２１ａから外部へ排気される。
【００８３】
以上説明したように、実施の形態１によれば、第２のバーナ４０による風呂の追い焚き燃焼のみが行われるときは、当該追い焚き燃焼に伴い発生し１次熱交換器５０を通過した排気ガスが、隔壁２２を介して第１の排気流路２３内へ流入することはないので、２次熱交換器６０は、当該追い焚き燃焼に係る排気ガスの有する潜熱の影響を受けることはない。
【００８４】
すなわち、第２のバーナ４０による風呂の追い焚き燃焼に係る排気ガスの熱（潜熱）に基づく２次熱交換器６０に対する入熱を遮断することができるので、２次熱交換器６０内に滞留している水（湯）の沸騰を防止することができる。
【００８５】
（実施の形態２）
【００８６】
図３は本発明の実施の形態２である給湯システムの概略構成を示す模式図である。
【００８７】
図３に示す給湯システムは、図１に示した実施の形態１の給湯システムにおいて、１次熱交換器５０を削除し、給湯熱交換器１１０および追い焚き熱交換器１２０を追加した構成になっている。図３において、図１に示した構成要素と同様の機能を果たす部分には同一の符号を付している。
【００８８】
給湯熱交換器１１０は、複数のフィン１１０ａを有し、これらのフィン１１０ａに給湯配管８０が設けられ、第１の燃焼手段としての第１のバーナ３０による給湯燃焼によって加熱される。
【００８９】
追い焚き熱交換器１２０は、複数のフィン１２０ａを有し、これらのフィン１２０ａに追い焚き配管９０が設けられ、第２の燃焼手段としての第２のバーナ４０による風呂の追い焚き燃焼によって加熱される。
【００９０】
すなわち、実施の形態２の給湯システムは、給湯熱交換器１１０および追い焚き熱交換器１２０を有するいわゆる二缶二水路給湯システムである。
【００９１】
次に、給湯システムにおける給湯運転、湯張り運転およびふろ単独運転の場合の排気ガスの流れについて説明する。
【００９２】
給湯運転あるいは湯張り運転のときは、ガス開閉弁４２およびガス開閉弁３２は開状態となり、制御手段（図示せず）の制御に従って燃焼ファン７０が作動（回転駆動）し、さらに第１のバーナ３０にガス配管４１を介して燃料ガスが供給されることにより、第１のバーナ３０による給湯燃焼が行われる。
【００９３】
このようにして給湯燃焼が行われると、第１のバーナ３０からの高温の排気ガスは、給湯熱交換器１１０を経由して２次熱交換器（潜熱回収熱交換器）６０に到達し、さらに、２次熱交換器６０によって当該排気ガス中の水蒸気が保有している潜熱が回収されることで、当該排気ガスの温度が低下する。そして、低温（例えば５０℃〜８０℃）となった排気ガスは、第１の排気流路２３を経由し排気口２１ａから外部へ排気される。
【００９４】
これに対し、ふろ単独運転のときは、上述した実施の形態１の場合と同様に、ガス開閉弁３２は閉状態であり、ガス開閉弁４２は開状態となり、制御手段（図示せず）の制御に従って燃焼ファン７０が作動（回転駆動）し、さらに第２のバーナ４０にガス配管４１を介して燃料ガスが供給されることにより、第２のバーナ４０による風呂の追い焚き燃焼が行われる。
【００９５】
このようにして風呂の追い焚き燃焼が行われると、第２のバーナ４０からの高温の排気（排気ガス）は、追い焚き熱交換器１２０を通過し、次に、図３に示すように符号２４ａに示す矢印の方向に流通、つまり第２の排気流路２４を経由し排気口２１ａから外部へ排気される。
【００９６】
このとき、第２のバーナ４０の風呂の追い焚き燃焼に伴う高温の排気ガスは、上記実施の形態１の場合と同様に、隔壁２２によって第１の排気流路２３への流入を阻止されるので、この第１の排気流路２３内に配設されている２次熱交換器（潜熱回収熱交換器）６０に対して影響を与えることはない。
【００９７】
そのため、２次熱交換器６０は風呂の追い焚き燃焼に係る熱（潜熱）に基づく入熱が遮断されることになり、２次熱交換器６０に対応して配設されている給湯配管８０の内部の水（湯）が沸騰することはない。
【００９８】
以上説明したように、実施の形態２によれば、上記実施の形態１の場合と同様に、第２のバーナ４０による風呂の追い焚き燃焼のみが行われるときは、当該追い焚き燃焼に伴い発生し追い焚き熱交換器１２０を通過した排気ガスが、隔壁２２を介して第１の排気流路２３へ流入することはないので、２次熱交換器（潜熱回収熱交換器）６０は、当該追い焚き燃焼に係る排気ガスの有する潜熱の影響を受けることはない。
【００９９】
すなわち、このように、第２のバーナ４０による風呂の追い焚き燃焼に係る排気ガスの有する潜熱に基づく２次熱交換器（潜熱回収熱交換器）６０に対する入熱を遮断することができるので、２次熱交換器６０内に滞留している水（湯）の沸騰を防止することができる。
【０１００】
（実施の形態３）
【０１０１】
図４は本発明の実施の形態３である給湯システムの概略構成を示す模式図、図５は図４に示した給湯システムにおけるふろ単独運転時の排気の流れを説明する図である。
【０１０２】
図４に示す給湯システムは、図１に示した実施の形態１の給湯システムにおいて、隔壁２２、第１の排気流路２３および第２の排気流路２４を削除し、案内通路２１０および制御部２２０を追加した構成になっている。図４において、図１に示した構成要素と同様の機能を果たす部分には同一の符号を付している。
【０１０３】
案内通路２１０は、第１の燃焼手段としての第１のバーナ３０および第２の燃焼手段としての第２のバーナ４０に供給される燃焼用空気の一部を、排気流路２１内へ案内する。
【０１０４】
制御部（制御手段）２２０は、第１のバーナ３０による給湯燃焼が行われるときと、第２のバーナ４０による風呂の追い焚き燃焼が行われるときに、燃焼ファン７０を作動させる制御を行う。すなわち、前記風呂の追い焚き燃焼のみが行われるときも、燃焼ファン７０は作動するように制御される。
【０１０５】
本実施の形態３では、燃焼ファン７０と制御部２２０とで、風呂の追い焚き燃焼のみが行われるときに、排気流路２１内に希釈空気を供給することにより、当該追い焚き燃焼に伴い発生し１次熱交換器５０を通過した排気ガスの温度を、２次熱交換器６０に対応して設けられている給湯配管８０に滞留している水が沸騰しない温度まで低下させる排気温度調整手段の機能を果たすようになっている。
【０１０６】
次に、給湯システムにおけるふろ単独運転の場合の排気ガスの流れについて説明する。
【０１０７】
ふろ単独運転のときは、ガス開閉弁３２は閉状態であり、ガス開閉弁４２は開状態となる。制御部２２０の制御に従って燃焼ファン７０が作動（回転駆動）すると、燃焼用空気が第１のバーナ３０および第２のバーナ４０に向けて提供される。第２のバーナ４０にはガス配管４１を介して燃料ガスが供給される。
【０１０８】
第２のバーナ４０では、供給された燃焼用空気および燃料ガスを基に、風呂の追い焚き燃焼を行う。このようにして風呂の追い焚き燃焼が行われると、第２のバーナ４０による風呂の追い焚き燃焼に伴う高温の排気（排気ガス）は、１次熱交換器５０を通過して、図４および図５に示すように符号５１で示す矢印の方向に流通する。
【０１０９】
これと同時に、給湯燃焼を行わない第１のバーナ３０に向けて供給された燃焼用空気は、そのまま１次熱交換器５０を通過して、希釈空気として図４および図５に示すように符号５２で示す矢印の方向に流通する。
【０１１０】
これにより、符号５１で示す矢印の方向に流通する高温の排気ガスが、符号５２で示す矢印の方向に流通する希釈空気としての燃焼用空気により希釈される。
【０１１１】
また、第１のバーナ３０および第２のバーナ４０に供給される燃焼用空気の一部が、希釈空気として案内通路２１０を介して排気流路２１内へ案内される（図４および図５に示すように符号２１１で示す矢印の方向に案内される）。
【０１１２】
これにより、符号５１で示す矢印の方向に流通する高温の排気ガス、あるいは符号５２で示す矢印の方向に流通する燃焼用空気により希釈された当該高温の排気ガスが、排気流路２１内に案内された希釈空気としての燃焼用空気により希釈される。
【０１１３】
このように１次熱交換器５０を通過した高温の排気ガス（符号５１で示す矢印の方向に流通する排気ガス）は、符号５２で示す矢印の方向に流通する燃焼用空気、および排気流路２１内に案内された燃焼用空気により希釈されるので、当該排気ガスの温度が、２次熱交換器６０に対応して設けられている給湯配管８０に滞留している水が沸騰しない温度まで低下することになる。
【０１１４】
その結果、このようにして低温となった排気ガスが２次熱交換器６０に向けて流通するので、当該２次熱交換器６０における給湯配管８０に滞留している水（湯）は沸騰することはない。
【０１１５】
なお、本実施の形態３では、風呂の追い焚き燃焼のみが行われるときに、当該追い焚き燃焼に伴う高温の排気ガスつまり１次熱交換器５０を通過した排気ガスを、案内通路２１０を経由した燃焼用空気、および第１のバーナ３０に供給される燃焼用空気により空気希釈するようにしているが、本発明はこれに限定されることなく、次のようにしてもよい。
【０１１６】
すなわち、図４に示す例の構成において案内通路２１０を削除する。つまり燃焼ファン７０からの燃焼用空気は、第１のバーナ３０および第２のバーナ４０に向けて供給されるようにする。
【０１１７】
そして、風呂の追い焚き燃焼のみが行われるときに、当該追い焚き燃焼に伴う高温の排気ガスつまり１次熱交換器５０を通過した排気ガスを、燃焼ファン７０の回転駆動させることで第１のバーナ３０に供給される燃焼用空気により空気希釈するようにする。
【０１１８】
この場合も、高温の排気ガスが符号５１で示す矢印の方向に流通する燃焼用空気により希釈されるので、従来の給湯システムの場合と比較して、当該排気ガスの温度を低下させることができる。
【０１１９】
しかし、第１のバーナ３０に供給される燃焼用空気により高温の排気ガスを空気希釈する方法に加えて、上述したように燃焼ファン７０からの燃焼用空気の一部を案内通路２１０を介して排気流路２１内へ案内して、この燃焼用空気により高温の排気ガスを空気希釈する場合の方が、第１のバーナ３０に供給される燃焼用空気により空気希釈する方法のみの場合と比較して、より一層、排気ガスの温度を低下させることができる。すなわち、排気ガスの温度を、より一層、２次熱交換器６０における給湯配管８０に滞留している水（湯）が沸騰しない温度まで低下させることができる。
【０１２０】
そのため、第１のバーナ３０に供給される燃焼用空気および案内通路２１０を介して排気流路２１内へ案内される燃焼ファン７０からの燃焼用空気により、風呂の追い焚き燃焼に伴う高温の排気ガスを希釈するようにすることが、より好ましい。
【０１２１】
以上説明したように、本実施の形態３によれば、排気温度調整手段（燃焼ファン７０および制御部２２０）は、制御部２２０の制御に従って燃焼ファン７０が作動することにより、第１のバーナ３０に対し供給される燃焼用空気を希釈空気として、排気流路２１に向けて供給するとともに、第１のバーナ３０および第２のバーナ４０に対し供給される燃焼用空気の一部を希釈空気として、案内通路２１０を介して排気流路２１内へ供給するようにしているので、風呂の追い焚き燃焼のみが行われる場合であっても、当該追い焚き燃焼に係る高温の排気ガスを、前記希釈空気により希釈することができ、よって当該排気ガスの温度を、２次熱交換器６０における給湯配管８０に滞留している水（湯）が沸騰しない温度まで低下させることができる。
【０１２２】
（実施の形態４）
【０１２３】
図６は本発明の実施の形態４である給湯システムの概略構成を示す模式図である。
【０１２４】
図６に示す給湯システムは、図３に示した実施の形態２の給湯システムにおいて、隔壁２２、第１の排気流路２３および第２の排気流路２４を削除し、案内通路３１０および制御部３２０を追加した構成になっている。図６において、図３に示した構成要素と同様の機能を果たす部分には同一の符号を付している。
【０１２５】
案内通路３１０および制御部（制御手段）３２０は、それぞれ上述した実施の形態３の案内通路２１０および制御部２２０と同様の構成および機能を有している。
【０１２６】
本実施の形態４では、燃焼ファン７０と制御部３２０とで、風呂の追い焚き燃焼のみが行われるときに、排気流路２１内に希釈空気を供給することにより、当該追い焚き燃焼に伴い発生し追い焚き熱交換器１２０を通過した排気ガスの温度を、２次熱交換器（潜熱回収熱交換器）６０に対応して設けられている給湯配管８０に滞留している水が沸騰しない温度まで低下させる排気温度調整手段の機能を果たすようになっている。
【０１２７】
次に、給湯システムにおけるふろ単独運転の場合の排気ガスの流れについて説明する。
【０１２８】
ふろ単独運転のときは、ガス開閉弁３２は閉状態であり、ガス開閉弁４２は開状態となる。制御部２２０の制御に従って燃焼ファン７０が作動（回転駆動）すると、燃焼用空気が第１のバーナ３０および第２のバーナ４０に向けて提供される。第２のバーナ４０にはガス配管４１を介して燃料ガスが供給される。
【０１２９】
第２のバーナ４０では、供給された燃焼用空気および燃料ガスを基に、風呂の追い焚き燃焼を行う。このようにして風呂の追い焚き燃焼が行われると、第２のバーナ４０による風呂の追い焚き燃焼に伴う高温の排気（排気ガス）は、追い焚き熱交換器１２０を通過して、図６に示すように符号１２１で示す矢印の方向に流通する。
【０１３０】
これと同時に、給湯燃焼を行わない第１のバーナ３０に向けて供給された燃焼用空気は、そのまま給湯熱交換器１１０を通過して、希釈空気として図６に示すように符号１１１で示す矢印の方向に流通する。
【０１３１】
これにより、符号１２１で示す矢印の方向に流通する高温の排気ガスが、符号１１１で示す矢印の方向に流通する希釈空気としての燃焼用空気により希釈される。
【０１３２】
また、第１のバーナ３０および第２のバーナ４０に供給される燃焼用空気の一部が、希釈空気として案内通路３１０を介して排気流路２１内へ案内される（図６に示すように符号３１１で示す矢印の方向に案内される）。
【０１３３】
これにより、符号１２１で示す矢印の方向に流通する高温の排気ガス、あるいは符号１１１で示す矢印の方向に流通する燃焼用空気により希釈された当該高温の排気ガスが、排気流路２１内に案内された希釈空気としての燃焼用空気により希釈される。
【０１３４】
このように追い焚き熱交換器１２０を通過した高温の排気ガス（符号１２で示す矢印の方向に流通する排気ガス）は、符号１１１で示す矢印の方向に流通する燃焼用空気、および排気流路２１内に案内された燃焼用空気により希釈されるので、当該排気ガスの温度が、２次熱交換器（潜熱回収熱交換器）６０に対応して設けられている給湯配管８０に滞留している水が沸騰しない温度まで低下することになる。
【０１３５】
その結果、２次熱交換器６０に向けてこのようにして低温となった排気ガスが流通するので、当該２次熱交換器６０における給湯配管８０に滞留している水（湯）は沸騰することはない。
【０１３６】
なお、本実施の形態４では、風呂の追い焚き燃焼のみが行われるときに、当該追い焚き燃焼に伴う高温の排気ガスつまり追い焚き熱交換器１２０を通過した排気ガスを、案内通路３１０を経由した燃焼用空気、および第１のバーナ３０に供給される燃焼用空気により空気希釈するようにしているが、本発明はこれに限定されることなく、上記実施の形態３の場合と同様に、図６に示す例の構成において案内通路３１０を削除して、第１のバーナ３０に供給される燃焼用空気により高温の排気ガスを空気希釈するようにしてもよい。
【０１３７】
以上説明したように、本実施の形態４によれば、上記実施の形態３の場合と同様の作用効果を期待することができる。すなわち、風呂の追い焚き燃焼のみが行われた場合であっても、当該追い焚き燃焼に係る排気ガスの温度を、２次熱交換器（潜熱回収熱交換器）６０における給湯配管８０に滞留している水（湯）が沸騰しない温度まで低下させることができる。
【０１３８】
（実施の形態５）
【０１３９】
図７は本発明の実施の形態５である給湯システムの概略構成を示す模式図である。
【０１４０】
図７に示す給湯システムは、図４に示した実施の形態３の給湯システムにおいて、１次熱交換器５０および２次熱交換器６０をそれぞれ１次熱交換器４１０および２次熱交換器４２０に変更した構成になっている。図７において、図４に示した構成要素と同様の機能を果たす部分には同一の符号を付している。
【０１４１】
１次熱交換器４１０および２次熱交換器４２０は、それぞれ第２のバーナ４０による追い焚き燃焼および第１のバーナ３０による給湯燃焼のときに追い焚き配管９０が加熱されるように配設されている。すなわち、１次熱交換器４１０および２次熱交換器４２０は、図８の従来の一缶二水路給湯システムの場合と同様の一缶二水路の構成になっている。
【０１４２】
本実施の形態５においても、上記実施の形態３の場合と同様に、排気温度調整手段（燃焼ファン７０および制御部２２０）は、制御部２２０の制御に従って燃焼ファン７０が作動することにより、第１のバーナ３０に対し供給される燃焼用空気を希釈空気として排気流路２１に向けて供給するとともに、第１のバーナ３０および第２のバーナ４０に対し供給される燃焼用空気の一部を希釈空気として、案内通路２１０を介して排気流路２１内へ供給するようにしている。
【０１４３】
すなわち、上記排気温度調整手段は、図７の符号４１２で示す矢印の方向に流通する燃焼用空気、および図７の符号２１１で示す矢印の方向に流通する燃焼用空気を希釈空気として排気流路２１内へ供給する。
【０１４４】
そのため、追い焚き燃焼のみが行われる場合であっても、当該追い焚き燃焼に係る高温の排気ガス（つまり図７の符号４１１で示す矢印の方向に流通する排気ガス）を、上述した希釈空気により希釈することができる。
【０１４５】
なお、本実施の形態５では、風呂の追い焚き燃焼のみが行われるときに、当該追い焚き燃焼に伴う高温の排気ガスつまり１次熱交換器４１０を通過した排気ガスを、案内通路２１０を経由した燃焼用空気、および第１のバーナ３０に供給される燃焼用空気により空気希釈するようにしているが、本発明はこれに限定されることなく、上記実施の形態３の場合と同様に、図７に示す構成において案内通路２１０を削除して、第１のバーナ３０に供給される燃焼用空気により高温の排気ガスを空気希釈するようにしてもよい。
【０１４６】
以上説明したように、本実施の形態５によれば、上記実施の形態３の場合と同様の作用効果を期待することができる。すなわち、風呂の追い焚き燃焼のみが行われた場合であっても、当該追い焚き燃焼に係る排気ガスの温度を、２次熱交換器４２０における給湯配管８０に滞留している水（湯）が沸騰しない温度まで低下させることができる。
【産業上の利用可能性】
【０１４７】
本発明は、給湯燃焼と追い焚き燃焼とを行うとともに給湯燃焼に係る潜熱を回収する一缶二水路型または二缶二水路型の給湯システムを採用したシステム、例えば各種端末機（床暖房機、浴室暖房機など）に対して温水を循環させることで暖房および乾燥を行う機能を有するとともに、シャワーや台所などへの給湯、全自動風呂および追い焚きなどの機能を有する温水式給湯暖冷房システムに適用することができる。
【図面の簡単な説明】
【０１４８】
【図１】本発明の実施の形態１である給湯システムの概略構成を示す模式図である。
【図２】図１に示した給湯システムにおけるふろ単独運転時の排気の流れを説明する図である。
【図３】本発明の実施の形態２である給湯システムの概略構成を示す模式図である。
【図４】本発明の実施の形態３である給湯システムの概略構成を示す模式図である。
【図５】図４に示した給湯システムにおけるふろ単独運転時の排気の流れを説明する図である。
【図６】本発明の実施の形態４である給湯システムの概略構成を示す模式図である。
【図７】本発明の実施の形態５である給湯システムの概略構成を示す模式図である。
【図８】従来の給湯システムの概略構成を示す模式図である。
【符号の説明】
【０１４９】
２０  燃焼室
２１  排気流路
２１ａ  排気口
２２  隔壁（阻止手段）
２３  第１の排気流路
２４  第２の排気流路
３０  第１のバーナ（第１の燃焼手段）
３１，４１  ガス配管
３２，４２  ガス開閉弁
３５  仕切り手段
４０  第２のバーナ（第２の燃焼手段）
５０  １次熱交換器
６０  ２次熱交換器（潜熱回収熱交換器）
７０  燃焼ファン
８０  給湯配管
８０ａ  入口側配管
８０ｂ  出口側配管
８１  バイパス配管
８２  給湯栓
８３  注湯管
８４  注湯弁
９０  追い焚き配管
９０ａ  戻り管
９０ｂ  行き管
９１  浴槽
９２  循環ポンプ
９３  風呂温度センサ
１１０  給湯熱交換器
１２０  追い焚き熱交換器
２１０，３１０  案内通路
２２０，３２０  制御部
４１０  １次熱交換器
４２０  ２次熱交換器
【図１】
2007120867.tif 000003
【図２】
2007120867.tif 000004
【図３】
2007120867.tif 000005
【図４】
2007120867.tif 000006
【図５】
2007120867.tif 000007
【図６】
2007120867.tif 000008
【図７】
2007120867.tif 000009
【図８】
2007120867.tif 000010